(57)【要約】つなぎ部（１５０）によって摺動可能に接続された蓋本体（１１０）およびキャップ部分（１４０）を有する廃棄物容器蓋組立体（１００）は、基部（２００）に取り付けるように構成されている。蓋本体は、開口（１１２）を有し、この開口（１１２）は、医療廃棄物を受容して、人体が開口を通じて廃棄物容器に進入するのを防ぐように接近行為を制限するような大きさに作製される。スロット（１１４）は、蓋本体中にあって、スロットを通じてつなぎ部の摺動移動を可能にし、キャップが、開口が廃棄物を受け入れるように構成されるような静止位置からキャップ部分が開口を覆うような閉じた位置へ移動できるようになっている。
2014528882.tif 000002
【特許請求の範囲】
【請求項１】
廃棄物容器であって、
底壁、前記底壁から上向きに延びる側壁を有し、医療廃棄物を受け入れるための入れ物を画定する基部と、
前記基部へ組み付けるように構成されている蓋本体、
前記蓋本体中の開口を覆う前記蓋本体に接続されたキャップ部分であって、前記開口は、医療廃棄物を受容して、人体が前記開口を通じて前記廃棄物容器に進入するのを防ぐように接近行為を制限するような大きさに作製されるキャップ部分、
前記キャップ部分を前記蓋本体に摺動可能に接続するつなぎ部、および
前記蓋本体中のスロットであって、前記スロットを通じて前記つなぎ部の摺動移動を可能にし、前記キャップが、前記開口が廃棄物を受け入れるように構成されるような静止位置から前記キャップ部分が前記開口を覆うような閉じた位置へ移動できるようになっているスロット
を含む蓋組立体と
を備えることを特徴とする廃棄物容器。
【請求項２】
前記開口は前記蓋本体の前方部に位置すると共に、前記スロットは前記蓋本体の後方部に位置し、前記つなぎ部は、前記キャップ部分が前後に移動することが可能とされるように前記スロットに係合することを特徴とする請求項１に記載の廃棄物容器。
【請求項３】
前記蓋本体は、前記キャップ部分が前記静止位置にあるときに、前記キャップ部分に係合する前記蓋本体の上面から延在する隆起表面を含むことを特徴とする請求項２に記載の廃棄物容器。
【請求項４】
前記キャップ部分は、前記隆起表面に係合するように構成された凹所を含むことを特徴とする請求項３に記載の廃棄物容器。
【請求項５】
前記スロットは、前記隆起表面に隣接して位置していることを特徴とする請求項１〜４のいずれかに記載の廃棄物容器。
【請求項６】
前記スロットは、前記隆起表面内に位置することを特徴とする請求項１〜４のいずれかに記載の廃棄物容器。
【請求項７】
前記隆起表面は切欠き領域を画定し、前記スロットは前記切欠き領域内に位置することを特徴とする請求項６に記載の廃棄物容器。
【請求項８】
前記開口は、前記蓋本体の上面から延在している隆起した周囲唇部によって囲まれ、前記キャップ部分は、前記隆起した周囲唇部に係合するように周囲チャンネルを含むことを特徴とする前記請求項のいずれかに記載の廃棄物容器。
【請求項９】
前記キャップ部分は少なくとも一対のロックタブを備え、蓋本体は、閉じた位置に前記キャップ部分をロックするための前記ロックタブを受容するように配置された少なくとも一対の細長い隙間を含むことを特徴とする請求項８に記載の廃棄物容器。
【請求項１０】
前記ロックタブは、前記細長い隙間を通じて前記閉じた位置に摺動するときに締りばめを与え、前記キャップ部分が前記蓋本体から取り外されるのを防ぐような大きさに設計された半径方向に突出するフィンを含むことを特徴とする請求項９に記載の廃棄物容器。
【請求項１１】
前記キャップ部分およびつなぎ部は、一体的に形成されることを特徴とする前記請求項のいずれかに記載の廃棄物容器。
【請求項１２】
前記前方部および前記後方部は、互いに対して傾斜されることを特徴とする請求項２〜１１のいずれかに記載の廃棄物容器。
【請求項１３】
前記蓋組立体は、熱可塑性プラスチック材料から作製されることを特徴とする前記請求項のいずれかに記載の廃棄物容器。
【請求項１４】
容器基部へ組み付けるように構成されている蓋本体を含む廃棄物容器蓋組立体であって、
前記蓋本体中の開口を覆う前記蓋本体に接続されたキャップ部分であって、前記開口は、前記蓋本体の前方部に位置し、医療廃棄物を受容して、人体が前記開口を通じて前記廃棄物容器に進入するのを防ぐように接近行為を制限するような大きさに作製されるキャップ部分と、
スロットに係合すると共に前記キャップ部分を前記蓋本体に摺動可能に接続するつなぎ部であって、前記キャップ部分が前後に移動することを可能にするつなぎ部と、
前記蓋本体の後方部に位置するスロットであって、前記スロットを通じて前記つなぎ部の摺動移動を可能にし、前記キャップが、前記開口が廃棄物を受け入れるように構成されるような静止位置から前記キャップ部分が前記開口を覆うような閉じた位置へ移動できるようになっているスロットと
を備えることを特徴とする廃棄物容器蓋組立体。
【請求項１５】
前記蓋本体は、前記キャップ部分が前記静止位置にあるときに、前記キャップ部分に係合する前記蓋本体の上面から延在する隆起表面を含むことを特徴とする請求項１４に記載の廃棄物容器。
【請求項１６】
前記キャップ部分は、前記隆起表面に係合するように構成された凹所を含むことを特徴とする請求項１５に記載の廃棄物容器。
【請求項１７】
前記隆起表面は切欠き領域を画定し、前記スロットは前記切欠き領域内に位置することを特徴とする請求項１５または１６に記載の廃棄物容器。
【請求項１８】
前記開口は、前記蓋本体の上面から延在している隆起した周囲唇部によって囲まれ、前記キャップ部分は、前記隆起した周囲唇部に係合するように周囲チャンネルを含むことを特徴とする請求項１４〜１７のいずれかに記載の廃棄物容器。
【請求項１９】
前記キャップ部分は少なくとも一対のロックタブを備え、蓋本体は、閉じた位置に前記キャップ部分をロックするための前記ロックタブを受容するように配置された少なくとも一対の細長い隙間を含むことを特徴とする請求項１８に記載の廃棄物容器。
【請求項２０】
前記ロックタブは、前記細長い隙間を通じて前記閉じた位置に摺動するときに締りばめを与え、前記キャップ部分が前記蓋本体から取り外されるのを防ぐような大きさに設計された半径方向に突出するフィンを含むことを特徴とする請求項１９に記載の廃棄物容器。
【発明の詳細な説明】
【技術分野】
【０００１】
本発明は、医療廃棄物処分容器およびそのような容器用の蓋に関し、特に、一時的および永久的な閉鎖部を必要とし得る鋭利な医療器具に用いられる容器に関する。
【０００２】
メス、刃、皮下注射針等などの鋭利な医療器具の、安全で効率的な処分は、医療施設および他のヘルスケア施設にとって問題である。病院や診療所からの処分可能な鋭利な物品および材料に対してかなり高度の安全をもたらす処分可能な容器が、近年開発されて来ている。鋭利な物として知られている針や手術刃などのこれらの物品、ならびの他の同様の物品や材料の多くは、それらを許可されていない人の手の届かないところに保管し、使い回しさせないようにするように処分しなければならない。
【０００３】
容器は、大抵、永久に閉じられるまで通常なら容器から物資が取り出されるのを防ぐように設計される。よく使用されている水平な入口開口の容器は、釣合い重み付きのドアを収納し、人が容器の中に手を入れようとしたときにひどい苦痛を生じる経路を作り出すことによって、人体が容器の中身に接近することを規制する。残念なことに、このような接近行為の規制は、開口を通じてある種の物体を投棄することを禁じる可能性がある。投棄される物体は、釣合い重み付きのドアに影響を与えなければならず、投棄された物品の重さによってドアを回転させてそれを開口から外へ移動させ、物品を容器の中に落下させることを可能にすることになる。これは、とても軽くて通常と異なる形状の物品または粘着性のある物品の場合、ドアの上で引き留められる機会が生じて、この物品の投棄を完了させるために使用者による追加の操作を必要とすることになり、汚染または針刺しによる使用者への危険のリスクを増大させる。
【発明の概要】
【発明が解決しようとする課題】
【０００４】
したがって、当業界では、人体が中身に接近するのを規制し、大きい物品または変わった形状の物品の投棄を可能にするのに十分な大きさの開口を提供する容器について、必要性が引き続いて存在している。
【課題を解決するための手段】
【０００５】
１または複数の実施形態は、基部および蓋組立体を備える廃棄物容器に向けられる。前記基部は、底壁、前記底壁から上向きに延びる側壁を有し、医療廃棄物を受け入れるための入れ物を画定する。前記蓋組立体は、基部およびキャップ部分へ組み付けるように構成されている蓋本体を含む。前記キャップ部分は、前記蓋本体に接続され、前記蓋本体中の開口を覆う。前記開口は、医療廃棄物を受容して、人体が前記開口を通じて前記廃棄物容器に進入するのを防ぐように接近行為を制限するような大きさに作製される。つなぎ部は、前記キャップ部分を前記蓋本体に摺動可能に接続する。スロットは、前記蓋本体中にあって、前記スロットを通じて前記つなぎ部の摺動移動を可能にし、それによって、前記キャップが、前記開口が廃棄物を受け入れるように構成されるような静止位置から前記キャップ部分が前記開口を覆うような閉じた位置へ移動できるようになっている。いくつかの実施形態では、前記キャップ部分およびつなぎ部は、一体的に形成される。特定の実施形態では、前記蓋組立体は、熱可塑性プラスチック材料から作製される。
【０００６】
いくつかの実施形態では、前記開口は前記蓋本体の前方部に位置すると共に、前記スロットは前記蓋本体の後方部に位置する。前記つなぎ部は、前記キャップ部分が前後に移動することが可能とされるように前記スロットに係合する。詳細な実施形態では、前記蓋本体は、前記キャップ部分が前記静止位置にあるときに、前記キャップ部分に係合する前記蓋本体の上面から延在する隆起表面を含む。特定の実施形態では、前記キャップ部分は、前記隆起表面に係合するように構成された凹所を含む。詳細な実施形態では、前記前方部および前記後方部は、互いに対して傾斜される。
【０００７】
いくつかの実施形態では、前記スロットは、前記隆起表面に隣接して位置している。詳細な実施形態では、前記スロットは、前記隆起表面内に位置する。特定の実施形態では、前記隆起表面は切欠き領域を画定し、前記スロットは前記切欠き領域内に位置する。
【０００８】
１または複数の実施形態では、前記開口は、前記蓋本体の上面から延在している隆起した周囲唇部によって囲まれ、前記キャップ部分は、前記隆起した周囲唇部に係合するように周囲チャンネルを含む。詳細な実施形態では、前記キャップ部分は、少なくとも一対のロックタブを備え、蓋本体は、閉じた位置に前記キャップ部分をロックするための前記ロックタブを受容するように配置された少なくとも一対の細長い隙間を含む。特定の実施形態では、前記ロックタブは、前記細長い隙間を通じて前記閉じた位置に摺動するときに締りばめを与えるような大きさに設計された半径方向に突出するフィンを含み、前記キャップ部分が前記蓋本体から取り外されるのを防ぐ。
【０００９】
本発明のさらなる実施形態は、容器基部へ組み付けるように構成されている蓋本体を含む廃棄物容器蓋組立体に向けられる。前記廃棄物容器蓋組立体は、前記蓋本体中の開口を覆う前記蓋本体に接続しているキャップ部分であって、前記開口は、前記蓋本体の前方部に位置し、医療廃棄物を受容して、人体が前記開口を通じて前記廃棄物容器に進入するのを防ぐように接近行為を制限するような大きさに作製されるキャップ部分を備える。つなぎ部は、前記スロットに係合すると共に前記キャップ部分を前記蓋本体に摺動可能に接続し、前記キャップ部分が前後に移動することを可能にする。スロットは、前記蓋本体の後方部に位置して、前記スロットを通じて前記つなぎ部の摺動移動を可能にし、それによって、前記キャップが、前記開口が廃棄物を受け入れるように構成されるような静止位置から前記キャップ部分が前記開口を覆うような閉じた位置へ移動できるようになっている。
【００１０】
いくつかの実施形態では、前記蓋本体は、前記キャップ部分が前記静止位置にあるときに、前記キャップ部分に係合する前記蓋本体の上面から延在する隆起表面を含む。詳細な実施形態では、前記キャップ部分は、前記隆起表面に係合するように構成された凹所を含む。特定の実施形態では、前記隆起表面は切欠き領域を画定し、前記スロットは前記切欠き領域内に位置する。
【００１１】
いくつかの実施形態では、前記開口は、前記蓋本体の上面から延在している隆起した周囲唇部によって囲まれ、前記キャップ部分は、前記隆起した周囲唇部に係合するように周囲チャンネルを含む。詳細な実施形態では、前記キャップ部分は少なくとも一対のロックタブを備え、蓋本体は、閉じた位置に前記キャップ部分をロックするための前記ロックタブを受容するように配置された少なくとも一対の細長い隙間を含む。特定の実施形態では、前記ロックタブは、前記細長い隙間を通じて前記閉じた位置に摺動するときに締りばめを与えるような大きさに設計された半径方向に突出するフィンを含み、前記キャップ部分が前記蓋本体から取り外されるのを防ぐ。
【００１２】
本明細書に記載された本発明の様々な実施形態および態様は、個々にまたは組み合わせて用いることができる。
【図面の簡単な説明】
【００１３】
【図１】キャップ部分が開いた静止位置にある、１または複数の実施形態による蓋組立体を備えた医療廃棄物容器の上正面斜視図である。
【図２】キャップ部分が開いた静止位置にある、１または複数の実施形態による医療廃棄物容器蓋組立体の上後方斜視図である。
【図３】キャップ部分が閉じた位置にある、廃棄物容器蓋組立体の上正面斜視図である。
【図４】本発明の１または複数の実施形態による蓋組立体のキャップ部分の下正面斜視図である。
【図５】本発明の１または複数の実施形態による蓋組立体のキャップ部分の上後方斜視図である。
【発明を実施するための形態】
【００１４】
本発明のいくつかの例示的な実施形態を説明する前に、本発明は、以下の説明に記載される構成またはプロセスのステップの細部に限定されないことを理解されたい。本発明は、他の実施形態であることが可能であると共に、様々なやり方で実施または実行することが可能である。
【００１５】
本発明の実施形態は、病室の鋭利な物のコレクタについての既存の鋭利物コレクタ基部に嵌る再設計された接近用開口を有する医療廃棄物容器の上部および閉鎖部に向けられている。様々な実施形態の閉鎖部は、開口の上ではなく近くにつなぎ部を介して上部に保持され、使用中に開口への接近行為が遮られないことを可能にする。この上部は、閉鎖部と共に、基部へカチッと嵌めることができ、次いで基部は、病室の壁が取り付けられるキャビネットまたはブラケットに配置される。この開口は、通常の使用中に鋭利な物および医療廃棄物を片手で処分するために接近を可能とするものである。コレクタが満杯になった後、閉鎖部がカチッと嵌められ、処分のために開口の上でロックされる。
【００１６】
本発明の実施形態は、水平投棄とは対照的に鋭利な物の廃棄物の垂直な投棄が意図されている。例えば、注射器は、代替の設計のような水平の向きとは対照的に、注射器（例えば、先端を先にして）をコレクタの中に落下させることによって投棄することができる。鋭利な物および医療廃棄物の投棄のために十分に大きいが、手の挿入を禁じるのに十分小さい、減少させた開口の大きさを持たせることによって、より小さい開口の垂直な入口の設計が、人体が中身に接近するのを規制する。
【００１７】
垂直な入口の開口の設計による直線によって、容器の中に投棄されるときに物品の自由落下による投棄を可能にする。配管が取り付けられた血液採取ユニットなどの物品は、開口に送り込まれ、使用者による追加の操作を必要とすることなく落下できる。水平の入口の釣合い重み付きのドアをなくし、垂直な入口を通じた直線を利用することによって、ある種の物品の投棄を妨げ得るものは存在しなくなる。多くの使用者は、珍しい形状の器具についてより高い投棄速度を有し、一貫して安全なやり方で物品を処分することが可能になる必要がある。
【００１８】
本発明は、廃棄物容器蓋、およびそのような蓋を備える廃棄物容器に関係する。図１〜図５は、例示的な実施形態の廃棄物容器蓋組立体１００を示す。この蓋組立体１００は、基部２００へ組み付けるように構成されている。基部２００は、底壁２０２と、この底壁２０２からから上向きに延びる少なくとも１つの側壁２０４とを含む。少なくとも１つの側壁２０４および底壁２０２は、医療廃棄物を受け入れるのに適した入れ物を形成および画定する。基部２００の底壁２０２および少なくとも１つの側壁２０４は、一体的に形成することができ、そのため基部は、一体的に形成された単一のユニットであるように見える。任意の適切な基部２００を用いることができ、本発明は、任意の特定の様式または材料に限定されないことを理解されたい。
【００１９】
蓋組立体１００は、蓋本体１１０およびキャップ部分１４０という２つの主要な部品から構成される。キャップ部分１４０は、蓋本体１１０に接続され、一方の位置では、蓋本体１１０中の開口１１２を覆う。この開口１１２は、医療廃棄物を受容し、人体が開口１１２を通じて廃棄物容器に進入するのを防ぐように接近行為を制限するような大きさに作製される。開口１１２は、任意の適切な大きさまたは形状とすることができる。例えば、各図に示された開口１１２は楕円形である。様々な実施形態では、開口１１２は、円形、楕円形、正方形、長方形、長円形、台形、ひし形、丸まった隅を有する長方形である。これらの形状は、可能な開口の単なる例示であり、その他の形状が用いられてもよいことを理解されたい。
【００２０】
蓋本体１１０およびキャップ部分１４０は、つなぎ部１５０によって接続されている。このつなぎ部１５０は、図４および図５に示されるように、キャップ部分１４０と一体的に形成することができ、または適切な接続を用いた別個の構成要素とすることができる。つなぎ部１５０は、蓋本体１１０中のスロット１１４によってキャップ部分を蓋本体１１０に摺動可能に接続する。つなぎ部は、図１中の開いた位置すなわち静止位置と図３中の閉じた位置の間でキャップが摺動できるような大きさに作製される。このスロットは、スロットを通じてつなぎ部１５０の摺動移動を可能にし、キャップ部分１４０が、静止位置１１６から閉じた位置１１８へ移動することができるようになっている。図４および図５に示されるように、つなぎ部１５０は、キャップ部分１４０が蓋本体１１０から外れるのを防ぐのに適した顎部１５２を備えることができる。いくつかの実施形態の顎部１５２は、狭い端部１５４が幅広い部分１５６へ広がっている先細り形状を有する。幅広い部分１５６は、スロット１１４よりわずかに大きい大きさに作製されている。これによってつなぎ部がスロット１１４を通じて狭い端部１５４から挿入されることが可能になり、幅広い部分１５６とスロット１１４の相互作用によってつなぎ部１５０がスロット１１４から完全に取り外されるのを防ぐ。この顎部１５２は、差込み型ロックタブ（ｂａｙｏｎｅｔ  ｓｔｙｌｅ  ｌｏｃｋｉｎｇ  ｔａｂ）と呼ばれる場合もある。
【００２１】
静止位置１１６では（図１参照）、キャップ部分１４０は、開口１１２が廃棄物を受け入れるように構成されているように位置する。いくつかの実施形態では、キャップ部分１４０が静止位置１１６に位置するとき、開口１１２は、キャップ部分１４０によって塞がれていない。閉じた位置１１８では、キャップ部分１４０は、開口１１２を覆う。詳細な実施形態では、閉じた位置１１８では、キャップ部分１４０は、開口１１２を覆い、開口をほぼ完全に塞ぎ、蓋組立体を永久に閉じ、基部２００の中身への接近行為を防ぐ。本明細書および添付の特許請求の範囲の中で用いられるとき、「永久に閉じること」は、開口１１２からキャップ部分１４０を取り除くために特に設計された工具を使用することなしに、または蓋組立体の少なくとも一部の相当の破壊を必要とすることなしに、容器の中身が開口を通じて接近されることが不可能である状態を指す。言い換えれば、永久に閉じることは、それが医師によってロックされ、容器処分の準備ができた後は、容器の許可されていない接近行為を防ぐために容器をロックすることが意図される。
【００２２】
いくつかの実施形態では、開口１１２は蓋本体１１０の前方部１２０に位置すると共に、スロット１１４は蓋本体１１０の後方部１２２に位置する。別の言い方をすれば、開口１１２は、前方部１２０の主要面を通じた穴であり、スロットは、蓋本体１１０の後方部１２２の主要面内の細長い穴である。つなぎ部１５０は、キャップ部分１４０が経路１１３に沿って前後に移動することが可能とされるようにスロット１１４に係合する。詳細な実施形態では、静止位置１１６から閉じた位置１１８へのキャップ部分１４０の移動は、実質的に前方移動だけを必要とする。本明細書および添付の特許請求の範囲の中で用いられるとき、用語「実質的に前方移動だけ」は、静止位置１１６から閉じた位置１１８へ移動するためにまたは後方部１２２から前方部１２０へ移動するためには、キャップ部分１４０の左右の移動がほとんどまたはまったく必要とされないことを意味する。
【００２３】
前方部１２０および後方部１２２は、実質的に同一平面にあることができ、前部および後部はほぼ平坦であり、または互いに対して傾斜されることを意味する。図１は、前方部１２０から離れて後方に角度の付いた後方部とほぼ水平であるように前方部１２０がほぼ平坦である実施形態を示す。この構成は、使用者に対して真っ直ぐに立った状態で開口を示すことと共に、キャップ部分１４０が偶発的に開口１１２に覆いかぶさらないようにさせるのを助けることの両方に役立ち得るものである。他の実施形態では、前方部１２０は、使用者に向かって前方に傾斜しており、後方部１２２は、ほぼ水平、またはわずかに後方に傾斜している。
【００２４】
いくつかの実施形態では、蓋本体１１０は、蓋本体１１０の上面１２６から延在する隆起表面１２４を含む。別の言い方をすれば、隆起表面１２４は、蓋本体１１０の主要面の上へ延在する部分である。いくつかの実施形態では、隆起表面１２４は、蓋本体１１０の後方部１２２の主要面の上へ延在する。隆起表面１２４は、キャップ部分１４０が静止位置１１６にあるときに、キャップ部分１４０に係合することができる。詳細な実施形態では、図３に示されるように、キャップ部分１４０は、隆起表面１２４に係合するように構成された凹所１４２を含む。この係合は、キャップ部分１４０を隆起表面１２４から係合解除するのに必要とされる力がほとんどもしくはまったくないような協働的性質とすることができ、またはキャップ部分１４０が隆起表面１２４から不注意に取り除かれないように摩擦ばめを有することができる。
【００２５】
図２および図３に示された詳細な実施形態では、キャップ部分１４０は、チャンネル１３０を含む長方形の馬蹄形構成を有する隆起表面１２４の上に載っている。隆起表面１２４が蓋本体１１０の後方部１２２に位置する状態で、静止位置１１６にあるとき、キャップ部分１４０は、後方部１２２に隣接して位置している。長方形の馬蹄形構成は切欠き領域１２８を画定し、チャンネルはつなぎ部１５０の移動を案内する。詳細な実施形態では、切欠き領域１２８は、蓋本体１１０の後方部１２２の主要面内にある。静止位置１１６にあるとき、廃棄物が開口１１２を通じて容器内に投棄できるように、キャップ部分１４０は、隆起表面１２４の上へ載っていることができる。キャップ部分１４０は、隆起表面１２４の長方形の馬蹄形構成と協働的に相互作用するように構成された長方形の凹所１４２を含むことができる。加えて、キャップ部分１４０は、隆起表面１２４の形状に応じて隆起表面１２４との協働的な相互作用を形成するための任意の適切な形状の凹所１４２を有することができる。
【００２６】
スロット１１４は、隆起表面１２６に隣接してまたは隆起表面１２４内に位置していることができる。例えば、スロットは、スロットが蓋本体１１０の上面１２６にあるように隆起表面の基部にあることができる。詳細な実施形態では、スロットは、隆起表面１２４の側壁に位置し、蓋本体１１０の上面上にはない。特定の実施形態では、各図に見られるように、隆起表面１２４は切欠き領域１２８を画定し、スロット１１４は切欠き領域１２８内に位置する。
【００２７】
図１を参照すると、開口１１２は、蓋本体１１０の上面１２６から延在している隆起した周囲唇部１３２によって囲むことができる。隆起した周囲唇部１３２は、前方方向部１２０の主要面の上に延在する。これらの実施形態におけるキャップ部分１４０は、図４に示されるように、開口１１２を囲む隆起した周囲唇部１３２に係合するように構成された周囲チャンネル１４４を含む。図１に示されるように、隆起した周囲唇部１３２は、蓋本体１１０の上面１２６から上向きに突出または突起し、キャップが（図３に示されるように）閉じた位置１１８に置かれるとき、キャップ部分１４０も、蓋本体１１０の上面１２６を越えて突出する。
【００２８】
図４および図５に示されるように、１または複数の実施形態のキャップ部分１４０は、少なくとも一対のロックタブ１４６を備え、蓋本体１１０は、キャップ部分１４０を閉じた位置１１８にロックするためのロックタブ１４６を受容するように開口１１２に隣接して配置された少なくとも一対の細長い隙間１３４を含む。特定の実施形態のロックタブ１４６は、差込み型ロック相互作用を有する。蓋本体１１０内の細長い隙間１３４は、隆起した周囲唇部１３２の外側に隣接して配置することができる。詳細な実施形態では、ロックタブ１４６は、細長い隙間１３４を通じて閉じた位置に摺動するときに締りばめを与えるような大きさに設計された半径方向に突出するフィン１４８を備える。容器が満杯であるまたはもはや必要とされないとき、キャップ部分１４０は、摺動動作を用いて開口１１２の上の静止位置１１６から引っ張られ、開口１１２に隣接した細長い隙間１３４に嵌められる差込みタブ（ロックタブ１４６）を用いて所定の位置にカチッと嵌められる。
【００２９】
１または複数の実施形態の基部（廃棄物容器）および蓋組立体は、熱可塑性プラスチック材料から成形される。詳細な実施形態では、蓋組立体１１０および基部２００は、永久に取り付けることができる別個の部品である。本明細書および添付の特許請求の範囲の中で用いられるとき、用語「永久に取り付けられる」は、この目的のために設計された特定の工具なしで、または基部または蓋組立体のいずれにも損傷を与えることなく、蓋組立体が基部から容易に取り外すことができないことを意味する。蓋組立体１１０を基部２００に永久に取り付けるための適切な構造は、蓋組立体１１０内の適合する開口１３６に嵌る基部２００の上部にある突起部２０６を備えるが、これに限定されない。
【００３０】
本明細書全体にわたっての「一実施形態」、「ある実施形態」、「１または複数の実施形態」または「実施形態」への言及は、本実施形態に関連して説明された特定の特徴、構造、材料、または特性が、本発明の少なくとも１つの実施形態に含まれていることを意味する。したがって、本明細書全体にわたる様々な場所における「１または複数の実施形態では」、「ある実施形態では」、「一実施形態では」、または「実施形態では」などの語句の出現は、本発明の同じ実施形態を必ずしも指していない。さらに、特定の特徴、構造、材料、または特性は、１または複数の実施形態において任意の適切なやり方で組み合わせることができる。
【００３１】
本明細書中の本発明は、特定の実施形態を参照して説明されてきたが、これらの実施形態は単に本発明の原理および応用の例示であることを理解されたい。本発明の精神および範囲にから逸脱することなく本発明の方法および装置に様々な修正および変更がなされてもよいことが当業者には明らかであろう。したがって、本発明は、添付の特許請求の範囲およびそれらの均等物の範囲内である修正形態および変形形態を含むことが意図される。
【図１】
2014528882.tif 000003
【図２】
2014528882.tif 000004
【図３】
2014528882.tif 000005
【図４】
2014528882.tif 000006
【図５】
2014528882.tif 000007
【国際調査報告】
2014528882.tif 000008
2014528882.tif 000009